【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
時間的スペクトル的フレームの中に配置され、保護間隔及び所望の記号長Ｔu を有するデータ記号並びに基準情報（ＣＰＩＬ，ＳＣＰＩＬ，ＴＰＳＰＩＬ）を含み、様々な種類のモード（ＭＯ，２ｋ，８ｋ）で伝送されうる受信された多重搬送波ディジタル信号（ＩＮＰ）の方式準拠性及び受信の質を評価する方法であって、前記方法は、
前記多重搬送波ディジタル信号（ＩＮＰ）が時間に関して偏移されたディジタル信号と時間領域中で相関される粗時間同期（ＣＴＳ）を行なう段階と、
前記多重搬送波ディジタル信号（ＩＮＰ）が供給される第１の入力への乗算器手段（Ｍ）と、前記乗算器手段の出力の下流に配置され前記乗算器手段の出力信号から得られるサンプル窓を変換する時間−周波数フーリエ変換手段（ＦＦＴ）と、前記時間−周波数フーリエ変換手段（ＦＦＴ）から出力信号を受信する粗ＡＦＣ手段（ＣＡＦＣ）と、前記粗ＡＦＣ手段（ＣＡＦＣ）からの制御出力信号によって制御され前記乗算器手段の第２の入力に周波数修正信号（ＦＣＯＲＲ）を供給する発振器（ＮＣＯ）とを用いて、粗ＡＦＣと称される粗自動周波数制御修正を行なう段階とを有し、
前記データ記号のうちの現在のものについて、前記多重搬送波ディジタル信号中の基準情報項目（ＣＰＩＬ）の想定される所定の配置スキームに対応する想定された複素値は、前記時間−周波数フーリエ変換手段の出力信号から得られ、対応する指定された参照情報項目位置スキーム中の指定された値で前記粗ＡＦＣ手段中で周波数に亘って相関され、
周波数に亘る関連する相関結果から得られる最大値は、対応するベースバンド信号の周波数オフセットを決定すること、及び、粗周波数修正を行なうために前記発振器へ対応する制御信号を与えることに用いられ、
前記時間−周波数フーリエ変換手段、前記粗ＡＦＣ手段及び前記発振器は、前記様々な種類のモード（ＭＯ）のうちの所与のものに基づいて動作し、
前記多重搬送波ディジタル信号（ＩＮＰ）の方式準拠性及び／又は存在を判定するべく、前記粗時間同期（ＣＴＳ）及び前記粗ＡＦＣ修正に関連付けられる最大補間値及び残る補間値を質的に評価し（ＱＲＥＶ）、
前記粗時間同期（ＣＴＳ）において、前記多重搬送波ディジタル信号（ＩＮＰ）は可能な種類のモードに対応するＴuの様々な値によって時間に関して変移され、現在のモード（ＭＯ）は時間相関値の最大の位置及び大きさから決定され（ＭＤＥＴ）、現在の保護間隔は時間相関値の最大の間の間隔から決定され、前記時間−周波数フーリエ変換手段（ＦＦＴ）に対してＴuに対応する長さを有するサンプル窓が決定され、
最大時間相関値の、前記最大値に関連付けられない他の時間相関部分結果の平均値に対する第１の比率が、所定の第１の最小値を超過するか、及び、周波数に亘って行われる相関の最大値の、前記最大値に関連付けられない周波数に亘る他の相関部分結果の平均値に対する第２の比率が、所定の第２の最小値を超過するかを判定する検査が行なわれ、
前記第１の比率が前記第１の最小値を超えるか、両方の比率が前記第１及び第２の最小値を夫々超える場合は、方式準拠性がある又は存在すると決定され、そうでない場合は、受信された多重搬送波ディジタル信号は方式準拠性がない又は存在しないと決定され、
前記相関段階は、記憶された閾値を上回る相関結果最大が前記粗時間同期（ＣＴＳ）から得られなければ繰り返されることを特徴とする、方法。
【請求項２】
前記基準情報は連続パイロット信号（ＣＰＩＬ）、散乱パイロットセル（ＳＣＰＩＬ）及びＴＰＳパイロット・セルと称される伝送パラメータ・シグナリング・パイロットセル（ＴＰＳＰＩＬ）を含み、粗ＡＦＣ修正での前記相関では前記連続パイロット信号（ＣＰＩＬ）に対応する情報のみが用いられる、請求項１記載の方法。
【請求項３】
微時間同期は質的な結果評価の後にフレーム及びサンプリングクロック同期手段（ＦＴＳ，ＴＰＳＤＥＣ）によって実行され、前記微時間同期のために、時間−周波数フーリエ変換手段（ＦＦＴ）の出力信号から取り出されたＴＰＳパイロットセル（ＴＰＳＰＩＬ）の同期シーケンスは、フレーム位置及びフレーム中の同様に時間−周波数フーリエ変換手段（ＦＦＴ）の出力信号から取り出された散乱パイロットセル（ＳＣＰＩＬ）の位置を決定するために使用され、公称値と散乱パイロットセルを使用して維持されるパルス応答の中央との間の誤りは対応するサンプリングクロック（ＣＬ）を調整するのに使用される、請求項２記載の方法。
【請求項４】
時間的スペクトル的フレームの中に配置され、保護間隔及び所望の記号長Ｔu を有するデータ記号並びに基準情報（ＣＰＩＬ，ＳＣＰＩＬ，ＴＰＳＰＩＬ）を含み、様々な種類のモード（ＭＯ，２ｋ，８ｋ）で伝送されうる受信された多重搬送波ディジタル信号（ＩＮＰ）の方式準拠性及び受信の質を評価する方法であって、前記方法は、
前記多重搬送波ディジタル信号（ＩＮＰ）が時間に関して偏移されたディジタル信号と時間領域中で相関される粗時間同期（ＣＴＳ）を行なう段階と、
前記多重搬送波ディジタル信号（ＩＮＰ）が供給される第１の入力への乗算器手段（Ｍ）と、前記乗算器手段の出力の下流に配置され前記乗算器手段の出力信号から得られるサンプル窓を変換する時間−周波数フーリエ変換手段（ＦＦＴ）と、前記時間−周波数フーリエ変換手段（ＦＦＴ）から出力信号を受信する粗ＡＦＣ手段（ＣＡＦＣ）と、前記粗ＡＦＣ手段（ＣＡＦＣ）からの制御出力信号によって制御され前記乗算器手段の第２の入力に周波数修正信号（ＦＣＯＲＲ）を供給する発振器（ＮＣＯ）とを用いて、粗ＡＦＣと称される粗自動周波数制御修正を行なう段階とを有し、
前記データ記号のうちの現在のものについて、前記多重搬送波ディジタル信号中の基準情報項目（ＣＰＩＬ）の想定される所定の配置スキームに対応する想定された複素値は、前記時間−周波数フーリエ変換手段の出力信号から得られ、対応する指定された参照情報項目位置スキーム中の指定された値で前記粗ＡＦＣ手段中で周波数に亘って相関され、
周波数に亘る関連する相関結果から得られる最大値は、対応するベースバンド信号の周波数オフセットを決定すること、及び、粗周波数修正を行なうために前記発振器へ対応する制御信号を与えることに用いられ、
前記時間−周波数フーリエ変換手段、前記粗ＡＦＣ手段及び前記発振器は、前記様々な種類のモード（ＭＯ）のうちの所与のものに基づいて動作し、
前記多重搬送波ディジタル信号（ＩＮＰ）の方式準拠性及び／又は存在を判定するべく、前記粗時間同期（ＣＴＳ）及び前記粗ＡＦＣ修正に関連付けられる最大補間値及び残る補間値を質的に評価し（ＱＲＥＶ）、
前記粗時間同期（ＣＴＳ）において、前記多重搬送波ディジタル信号（ＩＮＰ）は可能な種類のモードに対応するＴuの様々な値によって時間に関して変移され、現在のモード（ＭＯ）は時間相関値の最大の位置及び大きさから決定され（ＭＤＥＴ）、現在の保護間隔は時間相関値の最大の間の間隔から決定され、前記時間−周波数フーリエ変換手段（ＦＦＴ）に対してＴuに対応する長さを有するサンプル窓が決定され、
最大時間相関値の、前記最大値に関連付けられない他の時間相関部分結果の平均値に対する第１の比率が、所定の第１の最小値を超過するか、及び、周波数に亘って行われる相関の最大値の、前記最大値に関連付けられない周波数に亘る他の相関部分結果の平均値に対する第２の比率が、所定の第２の最小値を超過するかを判定する検査が行なわれ、
前記第１の比率が前記第１の最小値を超えるか、両方の比率が前記第１及び第２の最小値を夫々超える場合は、方式準拠性がある又は存在すると決定され、そうでない場合は、受信された多重搬送波ディジタル信号は方式準拠性がない又は存在しないと決定され、
基準情報は連続パイロット信号（ＣＰＩＬ）、散乱パイロットセル（ＳＣＰＩＬ）及びＴＰＳパイロット・セルと称される伝送パラメータ・シグナリング・パイロットセル（ＴＰＳＰＩＬ）からなり、粗ＡＦＣ修正での前記相関では前記連続パイロット信号（ＣＰＩＬ）に対応する情報のみが用いられ、
微時間同期は質的な結果評価の後にフレーム及びサンプリングクロック同期手段（ＦＴＳ，ＴＰＳＤＥＣ）によって実行され、前記微時間同期のために、時間−周波数フーリエ変換手段（ＦＦＴ）の出力信号から取り出されたＴＰＳパイロットセル（ＴＰＳＰＩＬ）の同期シーケンスは、フレーム位置及びフレーム中の同様に時間−周波数フーリエ変換手段（ＦＦＴ）の出力信号から取り出された散乱パイロットセル（ＳＣＰＩＬ）の位置を決定するために使用され、
公称値と散乱パイロットセルを使用して維持されるパルス応答の中央との間の誤りは対応するサンプリングクロック（ＣＬ）を調整するのに使用される、方法。
【請求項５】
散乱パイロットセル（ＳＣＰＩＬ）はパルス応答を獲得するために微時間同期（ＦＴＳ，ＴＰＳＤＥＣ）の中で時間的に補間される、請求項３又は４記載の方法。
【請求項６】
公称値からの誤りは１回よりも多く決定され、これらの結果は微時間同期（ＦＴＳ，ＴＰＳＤＥＣ）の中で結合される、請求項３乃至５のうちいずれか一項記載の方法。
【請求項７】
粗ＡＦＣ修正（ＣＡＦＣ）において夫々の場合に時間的に連続して得られた複数の相関結果は平均され、それにより前記質的な評価（ＱＲＥＶ）のための前記最大及び残る相関値を与える、請求項１乃至６のうちいずれか１項記載の方法。
【請求項８】
前記粗ＡＦＣ修正（ＣＡＦＣ）を行なった後、周波数誤りが定義された第１の閾値よりも小さければ、微ＡＦＣ（ＦＡＦＣ）が行なわれ、前記微ＡＦＣ（ＦＡＦＣ）についての制御変数は、連続パイロット記号（ＣＰＩＬ）中の記号から記号へ決定される位相変化から求められる、請求項１乃至７のうちいずれか１項記載の方法。
【請求項９】
受信の間、受信された信号がもはや方式準拠しないと判定されると、下流の受信機段において最後の許容可能な画像がフリーズされる及び／又は音声がミュートされる、請求項１乃至８のうちいずれか１項記載の方法。
【請求項１０】
サンプリング窓の配置及び／又は第２の閾値よりも小さい周波数誤りを達成した後、粗ＡＦＣ修正は特定の間隔で検査され、周波数誤りが１回よりも多い場合に第２の閾値よりも大きければ、粗ＡＦＣ修正は再開される、請求項１乃至９のうちいずれか１項記載の方法。
【請求項１１】
時間的スペクトル的フレームの中に配置され、保護間隔及び所望の記号長Ｔu を有するデータ記号並びに基準情報（ＣＰＩＬ，ＳＣＰＩＬ，ＴＰＳＰＩＬ）を含み、様々な種類のモード（ＭＯ，２ｋ，８ｋ）で伝送されうる受信された多重搬送波ディジタル信号（ＩＮＰ）の方式準拠性及び受信の質を評価する受信機であって、前記受信機は、
前記多重搬送波ディジタル信号（ＩＮＰ）を時間に関して偏移されたディジタル信号と時間領域中で相関させる粗時間同期手段（ＣＴＳ）と、
前記多重搬送波ディジタル信号（ＩＮＰ）を受信するよう適合された第１の入力を有する乗算器手段（Ｍ）と、
前記乗算器手段の出力の下流に配置され前記乗算器手段の出力信号からのサンプル窓を変換するよう適合された時間−周波数フーリエ変換手段（ＦＦＴ）と、
前記時間−周波数フーリエ変換手段から出力信号を受信する粗ＡＦＣ手段（ＣＡＦＣ）と、前記粗ＡＦＣ手段（ＣＡＦＣ）からの制御出力信号によって制御され前記乗算器手段の第２の入力に周波数修正信号（ＦＣＯＲＲ）を供給するよう適合された発振器（ＮＣＯ）とを含み、
前記データ記号のうちの現在のものについて、前記粗ＡＦＣ手段は、前記多重搬送波ディジタル信号中の基準情報項目（ＣＰＩＬ）の想定される所定の配置スキームに対応し、前記時間−周波数フーリエ変換手段の出力信号である想定された複素値を、対応する指定された参照情報項目位置スキーム中の指定された値で前記粗ＡＦＣ手段中で周波数に亘って相関させるよう適合され、
前記粗ＡＦＣ手段は、周波数に亘る関連する相関結果から得られる最大値から、対応するベースバンド信号の周波数オフセットを決定すること、及び、粗周波数修正を行なうために前記発振器へ対応する制御信号を与えるよう適合され、
前記時間−周波数フーリエ変換手段、前記粗ＡＦＣ手段及び前記発振器は、前記様々な種類のモード（ＭＯ）のうちの所与のものに基づいて動作するよう適合され、
前記多重搬送波ディジタル信号（ＩＮＰ）の方式準拠性及び／又は存在を判定するために、前記粗時間同期（ＣＴＳ）及び前記粗ＡＦＣ修正に関連付けられる最大補間値及び残る補間値を質的に評価する手段（ＱＲＥＶ）と、
前記粗時間同期（ＣＴＳ）手段は、前記多重搬送波ディジタル信号（ＩＮＰ）を可能な種類のモードに対応するＴuの様々な値によって時間に関して変移させるよう適合され、
前記粗時間同期手段の下流に配置され、時間相関値の最大の位置及び大きさから現在のモード（ＭＯ）を決定し、現在の保護間隔を時間相関値の最大の間の間隔から決定し、前記時間−周波数フーリエ変換手段について決定されたＴuに対応する長さを有するサンプル窓を決定する、モード検出器（ＭＤＥＴ）とを有し、
前記質的な評価の手段（ＱＲＥＶ）は、最大時間相関値の、前記最大値に関連付けられない他の時間相関部分結果の平均値に対する第１の比率が、所定の第１の最小値を超過するか、及び、周波数に亘って行われる相関の最大値の、前記最大値に関連付けられない周波数に亘る他の相関部分結果の平均値に対する第２の比率が、所定の第２の最小値を超過するかを判定する検査が行なわれ、前記第１の比率が前記第１の最小値を超えるか、両方の比率が前記第１及び第２の最小値を夫々超える場合は、方式準拠性がある又は存在すると決定され、そうでない場合は、受信された多重搬送波ディジタル信号は方式準拠性がない又は存在しないと決定するよう適合され、
前記粗時間同期手段（ＣＴＳ）は、記憶された閾値を上回る相関結果最大が前記粗時間同期（ＣＴＳ）から得られなければ相関段階を繰り返すよう適合されることを特徴とする、受信機。
【請求項１２】
時間的スペクトル的フレームの中に配置され、保護間隔及び所望の記号長Ｔu を有するデータ記号並びに基準情報（ＣＰＩＬ，ＳＣＰＩＬ，ＴＰＳＰＩＬ）を含み、様々な種類のモード（ＭＯ，２ｋ，８ｋ）で伝送されうる受信された多重搬送波ディジタル信号（ＩＮＰ）の方式準拠性及び受信の質を評価する受信機であって、前記受信機は、
前記多重搬送波ディジタル信号（ＩＮＰ）を時間に関して偏移されたディジタル信号と時間領域中で相関させる粗時間同期手段（ＣＴＳ）と、
前記多重搬送波ディジタル信号（ＩＮＰ）を受信するよう適合された第１の入力を有する乗算器手段（Ｍ）と、
前記乗算器手段の出力の下流に配置され前記乗算器手段の出力信号からのサンプル窓を変換するよう適合された時間−周波数フーリエ変換手段（ＦＦＴ）と、
前記時間−周波数フーリエ変換手段から出力信号を受信するよう適合された粗ＡＦＣ手段（ＣＡＦＣ）と、前記粗ＡＦＣ手段（ＣＡＦＣ）からの制御出力信号によって制御され前記乗算器手段の第２の入力に周波数修正信号（ＦＣＯＲＲ）を供給するよう適合された発振器（ＮＣＯ）とを含み、
前記データ記号のうちの現在のものについて、前記粗ＡＦＣ手段は、前記多重搬送波ディジタル信号中の基準情報項目（ＣＰＩＬ）の想定される所定の配置スキームに対応し、前記時間−周波数フーリエ変換手段の出力信号である想定された複素値を、対応する指定された参照情報項目位置スキーム中の指定された値で前記粗ＡＦＣ手段中で周波数に亘って相関させるよう適合され、
前記粗ＡＦＣ手段は、周波数に亘る関連する相関結果から得られる最大値から、対応するベースバンド信号の周波数オフセットを決定すること、及び、粗周波数修正を行なうために前記発振器へ対応する制御信号を与えるよう適合され、
前記時間−周波数フーリエ変換手段、前記粗ＡＦＣ手段及び前記発振器は、前記様々な種類のモード（ＭＯ）のうちの所与のものに基づいて動作するよう適合され、
前記多重搬送波ディジタル信号（ＩＮＰ）の方式準拠性及び／又は存在を判定するために、前記粗時間同期（ＣＴＳ）及び前記粗ＡＦＣ修正に関連付けられる最大補間値及び残る補間値を質的に評価する手段（ＱＲＥＶ）と、
前記粗時間同期（ＣＴＳ）手段は、前記多重搬送波ディジタル信号を可能な種類のモードに対応するＴuの様々な値によって時間に関して変移させるよう適合され、
前記粗時間同期手段の下流に配置され、時間相関値の最大の位置及び大きさから現在のモード（ＭＯ）を決定し、現在の保護間隔を時間相関値の最大の間の間隔から決定し、前記時間−周波数フーリエ変換手段（ＦＦＴ）について決定されたＴuに対応する長さを有するサンプル窓を決定する、モード検出器（ＭＤＥＴ）とを有し、
前記質的な評価の手段（ＱＲＥＶ）は、最大時間相関値の、前記最大値に関連付けられない他の時間相関部分結果の平均値に対する第１の比率が、所定の第１の最小値を超過するか、及び、周波数に亘って行われる相関の最大値の、前記最大値に関連付けられない周波数に亘る他の相関部分結果の平均値に対する第２の比率が、所定の第２の最小値を超過するかを判定する検査が行なわれ、前記第１の比率が前記第１の最小値を超えるか、両方の比率が前記第１及び第２の最小値を夫々超える場合は、方式準拠性がある又は存在すると決定され、そうでない場合は、受信された多重搬送波ディジタル信号は方式準拠性がない又は存在しないと決定するよう適合され、
前記粗時間同期手段（ＣＴＳ）は、記憶された閾値を上回る相関結果最大が前記粗時間同期（ＣＴＳ）から得られなければ前記相関段階を繰り返すよう適合されることを特徴とする、受信機。
【請求項１３】
時間的スペクトル的フレームの中に配置され、保護間隔及び所望の記号長Ｔu を有するデータ記号並びに基準情報（ＣＰＩＬ，ＳＣＰＩＬ，ＴＰＳＰＩＬ）を含み、様々な種類のモード（ＭＯ，２ｋ，８ｋ）で伝送されうる受信された多重搬送波ディジタル信号（ＩＮＰ）の方式準拠性及び受信の質を評価する受信機であって、前記受信機は、
前記多重搬送波ディジタル信号（ＩＮＰ）を時間に関して偏移されたディジタル信号（ＩＮＰ）と時間領域中で相関させる粗時間同期手段（ＣＴＳ）と、
前記多重搬送波ディジタル信号（ＩＮＰ）を受信するよう適合された第１の入力を有する乗算器手段（Ｍ）と、
前記乗算器手段の出力の下流に配置され前記乗算器手段の出力信号からのサンプル窓を変換するよう適合された時間−周波数フーリエ変換手段（ＦＦＴ）と、
前記時間−周波数フーリエ変換手段から出力信号を受信する粗ＡＦＣ手段（ＣＡＦＣ）と、前記粗ＡＦＣ手段（ＣＡＦＣ）からの制御出力信号によって制御され前記乗算器手段の第２の入力に周波数修正信号（ＦＣＯＲＲ）を供給するよう適合された発振器（ＮＣＯ）とを含み、
前記データ記号のうちの現在のものについて、前記粗ＡＦＣ手段は、前記多重搬送波ディジタル信号中の基準情報項目（ＣＰＩＬ）の想定される所定の配置スキームに対応し、前記時間−周波数フーリエ変換手段の出力信号である想定された複素値を、対応する指定された参照情報項目位置スキーム中の指定された値で前記粗ＡＦＣ手段中で周波数に亘って相関させるよう適合され、
前記粗ＡＦＣ手段は、周波数に亘る関連する相関結果から得られる最大値から、対応するベースバンド信号の周波数オフセットを決定すること、及び、粗周波数修正を行なうために前記発振器へ対応する制御信号を与えるよう適合され、
前記時間−周波数フーリエ変換手段、前記粗ＡＦＣ手段及び前記発振器は、前記様々な種類のモード（ＭＯ）のうちの所与のものに基づいて動作するよう適合され、
前記多重搬送波ディジタル信号（ＩＮＰ）の方式準拠性及び／又は存在を判定するために、前記粗時間同期（ＣＴＳ）及び前記粗ＡＦＣ修正に関連付けられる最大補間値及び残る補間値を質的に評価する手段（ＱＲＥＶ）と、
前記粗時間同期（ＣＴＳ）手段は、前記多重搬送波ディジタル信号（ＩＮＰ）を可能な種類のモードに対応するＴuの様々な値によって時間に関して変移させるよう適合され、
前記粗時間同期手段の下流に配置され、時間相関値の最大の位置及び大きさから現在のモード（ＭＯ）を決定し、現在の保護間隔を時間相関値の最大の間の間隔から決定し、前記時間−周波数フーリエ変換手段について決定されたＴuに対応する長さを有するサンプル窓を決定する、モード検出器（ＭＤＥＴ）とを有し、
前記質的な評価の手段（ＱＲＥＶ）は、最大時間相関値の、前記最大値に関連付けられない他の時間相関部分結果の平均値に対する第１の比率が、所定の第１の最小値を超過するか、及び、周波数に亘って行われる相関の最大値の、前記最大値に関連付けられない周波数に亘る他の相関部分結果の平均値に対する第２の比率が、所定の第２の最小値を超過するかを判定する検査が行なわれ、前記第１の比率が前記第１の最小値を超えるか、両方の比率が前記第１及び第２の最小値を夫々超える場合は、方式準拠性がある又は存在すると決定され、そうでない場合は、受信された多重搬送波ディジタル信号は方式準拠性がない又は存在しないと決定するよう適合され、
前記粗ＡＦＣ手段は、前記相関において、散乱パイロットセル（ＳＣＰＩＬ）及びＴＰＳパイロットセルと称される伝送パラメータ・シグナリング・パイロットセル（ＴＰＳＰＩＬ）と共に前記基準情報内に含まれる連続パイロット信号（ＣＰＩＬ）に対応する情報のみを用いるよう適合され、
時間−周波数フーリエ変換手段（ＦＦＴ）の出力信号から取り出されたＴＰＳパイロットセル（ＴＰＳＰＩＬ）の同期シーケンスを、フレーム中でフレーム位置及びフレーム中の同様に前記時間−周波数フーリエ変換手段（ＦＦＴ）の出力信号から前記微時間同期手段へ供給される、フレーム位置及び散乱パイロットセル（ＳＣＰＩＬ）の位置を決定するために評価することにより、微時間同期を実行するのに適合されたＴＰＳデコーダ（ＴＰＳＤＥＣ）及び微時間同期手段（ＦＴＳ）と、
前記微時間同期手段は、公称値と、対応するサンプリングクロック（ＣＬ）を調整するべく前記散乱パイロットセルを用いて得られるパルス応答の中心との間の誤差を評価するよう適合されることを特徴とする、受信機。
【手続補正２】
【補正対象書類名】明細書
【補正対象項目名】００１０
【補正方法】変更
【補正の内容】
【００１０】
使用される保護間隔が決定され、モードを考慮して、最大及び又はそれらの振幅の間の間隔に基づいて、次にサンプリング窓が配置される。これは記号シーケンス（Ｔu ＋Δ）に同期され、持続時間Ｔu の時間窓を出力するカウンタのワンス・オフ設定によって行われうる。以下の文脈では、この時間窓はまたサンプリング窓又はＦＦＴ窓と称される。本例で使用される基本発振器、従って窓の位置もまた以下の段階において微時間同期を通じて修正される。
【手続補正３】
【補正対象書類名】明細書
【補正対象項目名】００３１
【補正方法】変更
【補正の内容】
【００３１】
Ｉ要素及びＱ要素からなる入力信号ＩＮＰは乗算器Ｍの中で発振器ＮＣＯから生ずる周波数修正信号ＦＣＯＲＲ倍に乗算される。ＦＦＴＷＩＮによって選択される乗算器Ｍからの出力信号は高速フーリエ変換手段ＦＦＴの中で周波数領域へ変換され、最後にＩ要素及びＱ要素からなる出力信号ＯＵを形成する。
モードが正確に同定され、サンプリング窓が略正確に配置されていれば、粗ＡＦＣ手段ＣＡＦＣによって粗ＡＦＣが実行されうる。このためデータフレーム中の現在の記号の意図された連続パイロット信号ＣＰＩＬはＦＦＴからの出力信号から取り出され、定義されたレイアウトで（２Ｋモードでは４５の位置、８Ｋモードでは１７７の位置）、正確には２Ｋモードでは±１６の偏移に亘って、８Ｋモードでは±６４の偏移に亘ってＣＡＦＣの中で相関される。相関の種類はＭＯに依存して選択される。